(57)【要約】【課題】設定された使用禁止空間において、移動体通信端末の特定の機能に対して許可、不許可の制御を確実に実行できる機能を得る。【解決手段】ユーザ識別子領域と、サービス識別子領域と、起動パラメータ記憶領域とを備えて、ユーザからのサービス予約に上記各領域に所要のデータを記憶するデータベース１０３と、ユーザ識別子を送信してサービス要求をし、得られた起動パラメータの値を記憶して、得られた起動パラメータの値が所定の値であれば、本体プログラムを起動パラメータの所定値に従って動作させる端末１０１と、端末からのサービス要求に従って、データベースの各領域を参照してサービス要求の内容を認証して、認証に合致すると端末が動作するために必要な起動パラメータを端末に送信するサーバ１０６、とで端末機能制御システムを構成する。【選択図】        図１
2005258729.tif 000002
【特許請求の範囲】
【請求項１】
予約パラメータ記憶領域と、起動パラメータ記憶領域とを備えて、機能制御フラグに従って本体プログラムを機能させる端末に、サーバからダウンロードされて端末が読取り、実行可能なプログラムであって、
上記予約パラメータの値が所定条件を満たしていれば、上記起動パラメータの値が所定の値であるかを調べるステップと、
上記起動パラメータが所定の値であれば、該起動パラメータの値に従って上記機能制御フラグを設定するステップ、を備えたことを特徴とする端末機能制御用プログラム。
【請求項２】
起動パラメータは、端末からの要求送信に対応してサーバからダウンロードされ、端末機能制御用プログラムは上記ダウンロードされた起動パラメータの値に従って機能制御フラグを設定して、端末の本体プログラムを動作させることを特徴とする請求項１記載の端末機能制御用プログラム。
【請求項３】
予約パラメータまたは起動パラメータとして複数の値が設定され、端末機能制御用プログラムは上記設定された複数の起動パラメータの値に従って順次、機能制御フラグを設定して、該複数の起動パラメータ値のいずれかの条件に従って端末の本体プログラムを動作させることを特徴とする請求項２記載の端末機能制御用プログラム。
【請求項４】
起動パラメータとして複数の値が設定され、端末機能制御用プログラムは上記設定された複数の起動パラメータに従って機能制御フラグを設定して、該設定された複数の機能制御フラグの組み合わせに基づいて端末の本体プログラムを動作させることを特徴とする請求項１記載の端末機能制御用プログラム。
【請求項５】
起動パラメータは、所定の値として時間要素を含み、端末機能制御用プログラムは上記時間要素に該当する時間になると端末の本体プログラムを動作させることを特徴とする請求項１記載の端末機能制御用プログラム。
【請求項６】
予約パラメータ記憶領域と、起動パラメータ記憶領域と、フラグ優先選択部とを備えて、上記フラグ優先選択部が選ぶ機能制御フラグに従って本体プログラムを機能させる端末の機能を制御する方法において、
上記予約パラメータの値が所定条件を満たしていれば、上記起動パラメータの値が所定の値であるかを調べるステップと、
上記起動パラメータが所定の値であれば、該起動パラメータの値に従って上記機能制御フラグを設定するステップ、とを備えたことを特徴とする端末機能制御方法。
【請求項７】
ユーザ識別子領域と、サービス識別子領域と、起動パラメータ記憶領域とを備えて、ユーザからのサービス予約に従って上記各領域に所要のデータを記憶するデータベースと、
上記ユーザ識別子を送信してサービス要求をし、得られた起動パラメータの値を記憶して、上記得られた起動パラメータの値が所定の値であれば、本体プログラムを上記起動パラメータの所定値に従って動作させる端末と、
上記端末からのサービス要求に従って、上記データベースの各領域を参照して上記サービス要求の内容を認証して、該認証に合致すると上記端末が動作するために必要な上記起動パラメータを上記端末に送信するサーバ、とで構成されることを特徴とする端末機能制御システム。
【請求項８】
起動パラメータは、所定の値として時間要素を含み、端末では上記時間要素に該当する時間になると本体プログラムが上記起動パラメータの所定値に従って動作することを特徴とする請求項７記載の端末機能制御システム。
【請求項９】
データベースは、付加情報領域を備え、サーバは、端末への起動パラメータのダウンロード時に上記付加情報領域の情報を付加してダウンロードすることを特徴とする請求項７記載の端末機能制御システム。
【発明の詳細な説明】
【技術分野】
【０００１】
この発明は、移動体通信端末に付加された機能を、特定のエリアにおいて他の装置から遠隔操作で使用規制したり、使用許可する端末機能制御装置、システムに関するものである。
【背景技術】
【０００２】
従来の移動体通信端末において、閉空間（使用制限エリア）における移動体通信端末の通信を抑止するシステムおよび通信抑止方法として、各種の方法が提示されている。
例えば第１の従来技術としての特許文献１によれば、発信規制を管理するために閉空間（使用制限エリア）において特別の受信機あるいは禁止信号あるいは禁止基地局情報を別途必要とする構成にしている。
しかしこれでは別途、特別の受信機が必要となるか、また何よりも規制を指示する信号が電波を伝搬させる周囲環境で大いに変化するので、個別の端末に確実に届く禁止範囲の正確な限定が困難である。
【０００３】
第２の従来技術としての特許文献２では、撮影禁止対象物等がある特定の不許可空間において、制限装置から端末に撮影禁止信号を送信して、直ちに撮影を制限することが示されている。
更に第３の従来技術としての特許文献３では、無線使用が規制された場所で電磁波の送信を停止させるために、無線通信網の基地局からの位置登録情報を受信し、電磁波送出禁止の基地局の識別子（ＩＤ）が予めメモリに記憶された電波送出禁止の基地局ＩＤと一致する場合に電磁波の送出を禁止する構成にしている。
しかし上記で示されたこれらの方法によれば、全ての端末に対して一律の禁止になり、端末側のもっと自由な使用希望を一律に厳しく制限してしまい、ユーザからは不満が生じてしまう。
即ち、近年移動体通信端末のもつ機能は多様化しており、使用制限エリアにおいて移動体通信端末が持つ通話機能以外の機能、例えばカメラ機能、ビデオ機能等の制御およびそれらの機能を様々な組み合わせで制御する方法がユーザ、サービス提供者の双方から求められている。
更に強制制限が行えない場合には、使用者のモラルに頼るしかなく、一部の心無い使用者によるモラルハザードが防げないという問題もある。
【特許文献１】特開２０００−２３６５７２号公報
【特許文献２】特開２０００−１５２２１７号公報
【特許文献３】特開２０００−４９６８６号公報
【発明の開示】
【発明が解決しようとする課題】
【０００４】
従来の閉空間における端末機能制限装置、方法は上記のように構成されており、第１の従来技術では、特定の受信機が必要であったり、禁止範囲の限定が困難であるという課題がある。
第２と第３の従来技術では、通信端末の使用者にとって一律の使用制限となり、多用な使用希望に柔軟に対処できないという課題がある。
【０００５】
この発明は上記のような課題を解消するためになされたもので、設定された使用禁止空間において、移動体通信端末の特定の機能に対して許可、不許可の制御を確実に実行できる機能を得ることを目的とする。
また更に、機能を使用禁止する場合にも、単に禁止するのではなくて、時間的な自由度を与えて、移動体通信端末の使用者毎に様々な機能の組み合わせでサービスが行える機能を得ることを目的とする。
また更に、厳しい使用制限が要求される場合には、使用者のうっかりミスを防ぎ、使用者のモラルに頼らない制限も可能にする機能を得ることを目的とする。
【課題を解決するための手段】
【０００６】
この発明に係る端末機能制御システムは、ユーザ識別子領域と、サービス識別子領域と、起動パラメータ記憶領域とを備えて、ユーザからのサービス予約に従って上記各領域に所要のデータを記憶するデータベースと、
上記ユーザ識別子を送信してサービス要求をし、得られた起動パラメータの値を記憶して、上記得られた起動パラメータの値が所定の値であれば、本体プログラムを上記起動パラメータの所定値に従って動作させる端末と、
上記端末からのサービス要求に従って、上記データベースの各領域を参照して上記サービス要求の内容を認証して、該認証に合致すると上記端末が動作するために必要な上記起動パラメータを上記端末に送信するサーバ、とで構成する。
【発明の効果】
【０００７】
以上のようにこの発明によれば、移動体通信端末の付加機能を特定の場所において制御する場合に、端末側からサービス予約を行い、対応して機能制御用プログラムと予約パラメータのダウンロードを行って、サービスの形態に合わせて様々な機能の制御が行える効果がある。
また、サービス要求時に起動パラメータのダウンロードを行うことにより、時間的にも、空間的にも、確実に使用禁止範囲を規定することが可能となる効果もある。
【発明を実施するための最良の形態】
【０００８】
実施の形態１．
設定された使用禁止空間において、通信端末に対して特定機能の許可、不許可の制御を確実に実行できる機能を得る、また機能を使用禁止する場合にも、一律禁止ではなくて時間的、空間的な自由度を与えて、ユーザ毎に多様なサービスが行える機能を得る、装置、システムを説明する。
図１は、本実施の形態における通信端末機能制御装置とシステムの基本的な構成を示す図である。この図は、機能制限の汎用的、または基本的な構成と動作を説明するためのものであり、具体的な適用は、以下の実施の形態で説明する。
図において、通信端末機能制御システムは、以下の要素から構成される。移動体通信端末１０１と、この移動体通信端末１０１から各種のサービス要求を受付けるサービスサーバ１０２と、移動体通信端末１０１がサービス要求を行ってサービスを受ける場所に設置されるゲートサーバ１０６と、登録されたサービスに関する情報を一括して記憶するデータベース１０３とであり、これらは通信網３０１、３０２で相互に接続されている。データベース１０３にはプロセッサとメモリと通信制御機能があり、サービスサーバ１０２及びゲートサーバ１０６と通信を行って、データベースに登録して記憶しているデータについてこれらのサーバから問合せがあると、対応した内容を伝送する。
図２は、移動体通信端末１０１が内部に持つプログラム・データメモリの構成を示す図である。移動体通信端末１０１内にこのようなユニークなプログラム・データメモリ領域を持つことで、以下に説明する柔軟で多様なサービス要求に対処できる。また図３は、ゲートサーバ１０６と移動体通信端末１０１との間でデータを授受して上記図２に示すプログラム・データメモリの内容が、エリアによって有効／無効に設定される動作フローを示す図である。
【０００９】
次に図１の構成のシステムが行う動作を図１ないし図３を用いて説明する。
先ずシステム内のサーバ、データベースと移動体通信端末間の信号の時間的な授受関係を図１に基づいて述べる。移動体通信端末１０１のユーザは、最初にあるサービスを受けたい場合に、その移動体通信端末１０１を使用して、例えば予め取り決められたキーを組合わせ押下して、サービス予約信号１５１をサービスサーバ１０２に送信する。当然、サービス予約信号１５１には移動体通信端末１０１の識別子（ＩＤ）が予約情報と同時に送られ、どのユーザからのサービス予約であるかが識別される。
サービスサーバ１０２は移動体通信端末１０１から送られてきたユーザＩＤおよびサービス予約情報により、データベース１０３に対してデータベース情報領域１０４上にユーザＩＤ１２１と要求されたサービスＩＤ１２２を登録する。このデータベース１０３内にはデータベース情報領域としてサービス内容に応じた機能制御用プログラム１２３、予約パラメータ１２４、起動パラメータ１２５および付加情報１２６が保存されている。
サービスサーバ１０２はサービスＩＤ１２２をもとに、データベース１０３内のデータベース情報領域１０４からサービスＩＤ１２２、制御プログラム、予約パラメータおよび付加情報を登録信号１５２として読み出す。そして、移動体通信端末１０１に対して予約受付け信号１５３としてダウンロードを行う。移動体通信端末１０１からの送信もそうであるが、このダウンロードの送信方法として通常の無線通信による他に、移動体通信端末１０１とサービスサーバ１０２に機能があれば赤外線で交信してもよい。
【００１０】
この予約受付け信号をダウンロードした移動体通信端末１０１は、サービス提供を求める場合に、機能制御エリア１０５に設けられたゲートサーバ１０６に対してサービス要求信号１５４を送信する。この場合にサービスサーバ１０２から受けたサービスＩＤ１２２を送信するが、当然ユーザＩＤも同時に送信される。
このサービス要求信号１５４を受けたゲートサーバ１０６は、移動体通信端末１０１より提示されたユーザＩＤおよびサービスＩＤの情報をもとにデータベース１０３に対してユーザ情報の照合信号１５５を送信する。データベース１０３はこの照合をデータベース情報領域１０４のデータと照合して一致していれば、その旨ゲートサーバ１０６に照合一致による認証を返送する。こうしてゲートサーバ１０６によるユーザ情報の照合によりユーザ認証が行われた場合、ゲートサーバ１０６は認証情報とともにデータベース１０３内のデータベース情報領域１０４から得られた起動パラメータ１２５および付加情報１２６を移動体通信端末１０１に認証信号１５６として送信する。
【００１１】
この起動パラメータ１２５を用いることにより後で詳細を説明するように、機能制御を行うまでの実行時間や機能制御の対象を任意に指定することが可能となる。また移動体通信端末１０１内にダウンロードされた機能制御用プログラムが活性化される。また付加情報を用いることにより機能制御以外のサービスを提供することも可能となる。
また、移動体通信端末１０１がサービス提供の解除を求める場合には、機能制御エリア１０５に設けられたゲートサーバ１０６に対してサービス解除要求信号１５７が送信される。
これを受けたゲートサーバ１０６は、移動体通信端末１０１より送信されたユーザＩＤ１２１およびサービスＩＤ１２２の情報をもとにユーザの認証を行い、機能制御解除指示のための起動パラメータ１２５を移動体通信端末１０１に対して解除信号１５８として送信する。これにより移動体通信端末１０１の機能制御の解除を行う。
【００１２】
上記動作説明は、時間的な順序を図１との対比で述べたものであるが、次に移動体通信端末１０１内のメモリに機能制御用プログラムがどの様に読み込まれ、どの様に動作するかを図２に基づいて説明する。
図２は、本実施の形態における移動体通信端末１０１内のプログラム・データメモリ空間の配置例を示す説明図である。
移動体通信端末１０１内にあるプログラム・データメモリ空間２００は、本体プログラム・データ領域２０１、及び上記のサービスサーバ１０２からダウンロードされた機能制御用プログラム１２３を記憶する外部ダウンロードプログラム・データ領域２０２とで構成される。
本体プログラム・データ領域２０１は、本体プログラム２０３、フラグ優先選択部２０４、ユーザ設定用の機能制御フラグエリア２０６、外部設定用の機能制御フラグエリア２０７とで構成される。他方の機能制御用プログラム２０８から設定される選択情報２０５をもとに、フラグ優先選択部２０４がユーザ設定用の機能制御、つまりユーザ設定の本体プログラム２０３を優先するか、または外部のデータベース情報領域の機能制御用プログラム１２３をダウンロードした機能制御用プログラム２０８による機能制御を優先するか、の選択が行われる。
【００１３】
図２のようなプログラム・データ構成を持つことにより、ユーザ設定による機能制御と外部設定による機能制御とを選択して操作することが可能となり、通常はユーザ設定に従い機能制御を行なっているが、本実施の形態による機能制御が外部のサーバから起動された時点で、その外部のサーバからの設定に従い機能制御が行なわれるようになる。
また外部設定領域がユーザ設定領域から独立していることで、外部設定による機能制御が解除された時点で元のユーザ設定に制御を戻すことが可能となる。また外部設定による機能制御が実行されている最中でも、設定だけならユーザが自端末のユーザ設定領域の機能制御パラメータを変更することもできる。
外部ダウンロードプログラム・データ領域２０２には、は上記のように外部からダウンロードされた機能制御用プログラム２０８、複数の予約パラメータ２０９の群、及び複数の起動パラメータ２１０の群とで構成される。機能制御用プログラム２０８の内部には、テンポラリ設定用の選択情報２１１と設定を一時的に保存しておくテンポラリ設定用の機能制御フラグエリア２１２とがある。これらのプログラム、パラメータ群は外部より移動体通信端末１０１内にダウンロードされる。
【００１４】
機能制御用プログラム２０８は、複数の予約パラメータ２０９、複数の起動パラメータ２１０の情報を元にして、内部のテンポラリ設定用の選択情報２１１とテンポラリ設定用の機能制御フラグエリア２１２に対して必要とされる情報の設定を行う。そして図２の左側への矢印で示されるように、本体プログラム・データ領域２０１内の外部設定用の機能制御フラグエリア２０７および選択情報２０５に対して最終情報の設定を行う。
このように移動体通信端末１０１の機能を制御する方法として、サービスサーバ１０２からダウンロードする各種のダウンロードプログラム・データを用いることで、ユーザ毎に様々な組み合わせの機能制御を行うことが可能となる。即ち、ユーザ側にとっても多様なサービス要求が可能で利便性が増し、またサービス提供者にとっても様々で木目細かなサービスの提供が可能となる。また機能制御用プログラムが実行時に予約パラメータおよび起動パラメータを参照することにより、予約の有効／無効の判別、起動期間の設定が可能となり、機能制御を時間的に制御することが可能となり、ユーザが意識することなく使用禁止エリア内での使用制限の機能制御を行うことが可能となる。
【００１５】
上記で移動体通信端末１０１内のプログラム・データメモリ空間の配置と、ダウンロードされた機能制御用プログラムがどの様に本体プログラムを優先制御するかの仕組みを説明した。以下更に、機能制御エリア１０５内での移動体通信端末１０１の動作を、移動体通信端末１０１内の機能制御用プログラム２０８が行う図３の動作フローに基づいて説明する。
図３のステップＳ３１で機能制御用プログラム２０８は、外部ダウンロードプログラム・データ領域２０２にアサインされている予約パラメータ２０９の情報（予約の有効／無効、予約期限）および起動パラメータ２１０の情報（起動の有効／無効、起動期間）を参照することで、本体プログラム・データ領域２０１にアサインされている選択情報２０５、外部設定用の機能制御フラグエリア２０７をどのような値に設定すれば良いかを決定する。また、複数の予約パラメータ情報、起動パラメータ情報がある場合は、複数の予約パラメータ情報の数だけ、指定の処理を行う。
また機能制御用プログラム２０８はＳ３２で、起動パラメータ２１０の情報が「無効」３０１で、かつＳ３３で予約パラメータ２０９の情報が「予約が有効」３０２で、かつＳ３４でその予約期限が「期限内」３０３の場合、まだ機能制御予約中の状態であるため、機能制御用プログラムは何の処理も実行しない。
同様にＳ３２で起動が「有効」３０４で、かつＳ３５で起動パラメータの起動期間が「開始前」３０８の場合も機能制御実行タイミング待ちの状態であるため何の処理も実行しない。
【００１６】
Ｓ３２で起動が「有効」３０２で、かつＳ３５で起動期間が「期間内」３０９の場合、機能制御をまさに行なうタイミングと判断し、機能制御用プログラム２０８はＳ３９で起動パラメータ２１０に従い、内部にあるテンポラリ設定用の機能制御フラグエリア２１２の選択情報と各種機能制御フラグの設定を行う。複数の予約パラメータ２０９の情報によって、複数起動する場合はＯＲ条件となる。最終的な各種機能制御フラグの内容から本体プログラム・データ領域２０１にアサインされている各種機能制御フラグの設定を行う。そして本体プログラム・データ領域２０１にアサインされている選択情報２０５を外部設定が有効となるようにすることで、本体プログラム２０３が外部設定用の機能制御フラグを参照し動作するように仕向ける３１１。
【００１７】
Ｓ３２で起動が「無効」３０１、かつＳ３３で予約が「無効」３０５の場合、Ｓ３７で、本体プログラム・データ領域２０１にアサインされている選択情報２０５、および外部ダウンロードプログラム・データ領域２０２にアサインされている予約パラメータ２０９、起動パラメータ２１０の初期化を行なう。
同様にＳ３２で起動が「無効」３０１、かつＳ３３で予約が「有効」３０２、かつ予約期限が「期限切れ」３０６の場合も、Ｓ３７で選択情報、予約パラメータ、起動パラメータの初期化を行なう。同様にＳ３２で起動が「有効」３０４、かつＳ３５で起動期間が「期間終了」３０７、かつＳ３６で次起動パラメータ群が「なし」３１２の場合も、Ｓ３７で選択情報、予約パラメータ、起動パラメータの初期化を行なう。
また、起動が「有効」３０４、かつ起動期間が「期間終了」３０７、かつ次起動パラメータ群が「ある」３１０の場合は、Ｓ３８で選択情報、現起動パラメータの初期化を行なう。
【００１８】
機能制御用プログラム２０８がこのようなアルゴリズムに従い動作することで、サービス予約後の予約有効／無効、サービス要求時の起動開始前／起動期間終了／期間内をプログラム自身が認識し、ユーザに負担を強いることなく、使用制限エリア内での機能制御を行うことが可能となり、ユーザの利便性が増す。
なお図１の構成では、サービスサーバ１０２と、データベース１０３と、ゲートサーバ１０６とはそれぞれ別のハードウェアとして示したが、これらは同一のサーバで構成して、その中にデータベースを構築する構成であってもよい。またはデータベース１０３をサービスサーバ１０２内に設けるようにしてもよい。
このように、サービス要求時に起動パラメータのダウンロードを行うことにより、時間的にも、空間的にも、確実に使用禁止範囲を規定することが可能である。従って、近年問題となっている、機能禁止エリアにおける移動体通信端末の特定の機能に関して、ユーザの負担を減らして、個人の不便を感じさせず、個人のモラルに頼らない移動体通信端末の機能制御が可能となる。
【００１９】
実施の形態２．
以下の実施の形態では、実施の形態１で説明した汎用の構成に基づいた具体的な適用例を説明する。
図４は、コンサート会場における移動体通信端末機能制御システムの適用を示す図である。
先ずユーザは移動体通信端末４０１を使用してサービスサーバ４０２にチケット予約信号４５１を送信する。このサービスサーバ４０２に対するチケット予約時にユーザＩＤを提示するが、この場合のユーザＩＤ１２１ｂとしてこの例では電話番号を用いる。サービスサーバ４０２による予約受け付け後、サービスサーバ４０２から移動体通信端末４０１に対してサービスＩＤと、機能制御用プログラム１２３ｂおよび予約パラメータ１２４ｂが予約受付け信号４５３としてダウンロードされる。この場合サービスＩＤ１２２ｂとしてはコンサートチケット、予約パラメータ１２２ｂとしてはコンサート会場における機能制御指定（撮影機能、録音機能あるいは通話機能等）および予約パラメータの有効期限（年月日、時分秒）がある。これら機能制御を行う項目はサービス提供者が設定することが可能である。
【００２０】
予約時に機能制御用プログラムおよび予約パラメータをダウンロードすることにより、予約の有効／無効および予約期限を判別することが可能となり、例えば予約を行ったにも関わらず会場に行かなかった場合、予約期限が過ぎれば起動パラメータおよび予約パラメータを初期化することで、外部からの機能制御を無効にすることが可能となる。これはユーザが意識せずに行うことができ、ユーザの利便性が増す。
【００２１】
ユーザはコンサート会場４０５に入場する際、ゲートサーバ４０６において入場手続きを行う。具体的には入場信号４５４をゲートサーバ４０６へ送信し、ゲートサーバ４０６で照合の結果認証が行われれば、ゲートサーバ４０６はデータベース４０３内の起動パラメータ１２５ｂをダウンロードする。起動パラメータには起動期間（起動開始および終了の年月日、時分秒）が含まれている。例えばコンサート会場において入場してから開演まで時間がある場合、移動体通信端末４０１の機能の制御は行わず、開演時刻にあわせて機能制御を起動する。また予約パラメータ内に記憶された終了時刻になると、移動体通信端末４０１の機能解除が行われる。更に、途中退場の場合には、ゲートサーバ４０６から機能制御解除信号４５８を送信して、移動体通信端末４０１の機能制御の解除を行う。
このように、起動パラメータをもつことにより、時間による機能制御が可能となり、機能制御の時間的な自由度が増す。
またサーバ側からコンサート会場４０５等の機能制御エリアにおける移動体通信端末４０１等の機能を確実に制限できるので、ユーザのうっかり設定ミスを防いで負担を減らしたり、例えば禁止されている録音を行う等のモラルハザードを防ぐ効果がある。
【００２２】
実施の形態３．
他の具体的な適用として図５の構成があり、この図は店舗における移動体通信端末機能制御システムの構成を示す図である。
店舗において移動体通信端末５０１を使用する場合、サービスの予約を必要としない場合もある。図５は図１に示すサービスサーバを持たなくて良い構成を示している。またゲートサーバ５０６がデータベース５０３を持つ構成としてもよい。
ユーザは入店時に移動体通信端末５０１を使用して、キー押下によりユーザＩＤを入店信号５５１として送信する。ゲートサーバ５０６はユーザに対する入店受付信号５５３として、機能制御用プログラム１２３ｃ、起動パラメータ１２５ｃおよび予約パラメータ１２４ｃを移動体通信端末５０１にダウンロードする。
【００２３】
店舗の例であれば、予約パラメータ１２４ｃとしては店舗における機能制御指定（撮影機能あるいは通話機能等）がある。また起動パラメータ１２５ｃとしては起動期間（起動開始および終了の年月日、時分秒）が含まれている。付加情報１２６ｃとしては店舗の情報、割引チケット等があげられる。ユーザは退店時に機能解除の要求を退店信号５５４として送信する。
この際に店舗側は、付加情報１２６ｃの、例えばユーザの購入記録等のデータベースを参照して使用することで、サービス向上に役立てることができる。このように付加情報を利用することで、移動体通信端末の機能制御だけでなくユーザ側、サービス提供側双方にとっても有用なサービスの提供も可能となる。
【００２４】
実施の形態４．
他の具体的な適用として図６の構成があり、この図は大学における移動体通信端末機能制御システムの構成を示す図である。
ユーザは移動体通信端末６０１を使用して、講座予約信号６５１をサービスサーバ６０２に送信する。この講座予約時にサービスサーバ６０２に対してユーザＩＤを送信するが、この場合のユーザＩＤとして学籍番号が挙げられる。大学の場合、講義を受講する場所が複数あるので、講義場所Ａ，Ｂ（機能制御エリア）６０５、６０７を複数設定する必要がある。
これは講座予約信号６５１の送信に対する回答返信として、予約受け付け信号６５３を複数内容を含む形式とする。即ち、予約パラメータ１２４ｄを複数ダウンロードすることで可能になる。
【００２５】
移動体通信端末６０１の機能制御の活性化は、移動体通信端末６０１からゲートサーバ６０６に対する入室Ａ信号６５４送信、あるいは入室Ｂ信号６５９の送信に対する、ゲートサーバ（Ａ）からの認証Ａ信号６５６の送信、あるいはゲートサーバ（Ｂ）からの認証Ｂ信号６６１の送信で行われる。即ちこれらの認証信号として、講義場所Ａか講義場所Ｂ等に対応した起動パラメータ１２５ｄのダウンロードが行われるので、機能制御エリアの複数設定が可能となる。
このように予約パラメータおよび起動パラメータを用いることにより、移動体通信端末における機能制御の自由度が増す。
【図面の簡単な説明】
【００２６】
【図１】この発明の実施の形態１における通信端末機能制御装置及びシステムの構成を示す図である。
【図２】実施の形態１における移動体通信端末内のプログラム・データメモリ空間の配置例を示す図である。
【図３】実施の形態１における機能制御用プログラムが行う動作フローを示す図である。
【図４】この発明の実施の形態２における通信端末機能制御装置及びシステムの構成を示す図である。
【図５】この発明の実施の形態３における通信端末機能制御装置及びシステムの構成を示す図である。
【図６】この発明の実施の形態４における通信端末機能制御装置及びシステムの構成を示す図である。
【符号の説明】
【００２７】
１０１  移動体通信端末、１０２  サービスサーバ、１０３  データベース、１０４  データベース情報領域、１０５  機能制御エリア、１０６  ゲートサーバ、１２１  ユーザＩＤ、１２２  サービスＩＤ、１２３  機能制御用プログラム、１２４  予約パラメータ、１２５  起動パラメータ、１２６  付加情報、２００  移動体通信端末内プログラム・データメモリ空間、２０１  本体プログラム・データ領域、２０２  外部ダウンロードプログラム・データ領域、２０３  本体プログラム、２０４  フラグ優先選択部、２０５  選択情報、２０６  ユーザ設定用の機能制御フラグエリア、２０７  外部設定用の機能制御フラグエリア、２０８  機能制御用プログラム、２０９  予約パラメータ、２１０  起動パラメータ、２１１  テンポラリ設定用の選択情報、２１２  テンポラリ設定用の機能制御フラグエリア、３０１，３０２  通信網、４０１  移動体通信端末、４０２  サービスサーバ、４０３  データベース、４０４  データベース情報領域、４０５  コンサート会場、４０６  ゲートサーバ、５０１  移動体通信端末、５０３  データベース、５０４  データベース情報領域、５０５  店内、５０６  ゲートサーバ、６０１  移動体通信端末、６０２  サービスサーバ、６０３  データベース、６０４  データベース情報領域、６０５  講義場所Ａ、６０６  ゲートサーバＡ、６０７  講義場所Ｂ、６０８  ゲートサーバＢ、Ｓ３１  予約パラメータ数の数だけ以下のＳ４１までを繰返すステップ、Ｓ３２  起動有効の調査ステップ、Ｓ３３  予約有効の調査ステップ、Ｓ３４  予約期限の調査ステップ、Ｓ３５  起動期間の調査ステップ、Ｓ３６  次起動パラメータの調査ステップ、Ｓ３７  パラメータ類の初期化と選択情報設定ステップ、Ｓ３８  起動パラメータの初期化と選択情報設定ステップ、Ｓ３９  起動パラメータに基づく機能制御フラグ保存ステップ、Ｓ４０  外部設定を選択情報に設定するステップ、Ｓ４２  テンポラリ領域にある機能制御フラグ設定ステップ。
【図１】
2005258729.tif 000003
【図２】
2005258729.tif 000004
【図３】
2005258729.tif 000005
【図４】
2005258729.tif 000006
【図５】
2005258729.tif 000007
【図６】
2005258729.tif 000008